Podtech/llm-jp-corpus-v4-ja_patent huggingface dataset:
(57)【要約】      （修正有）【課題】チャック式袋に貼ることで、チャック式袋の開けにくさを改善することができる開封補助シールを提供する。【解決手段】開封補助シール１はつまみ部２と粘着部３とからなっておりチャック式袋に粘着部を貼り付け、つまみ部を引っ張ることによりチャック式袋のつまみ部が狭い場合でも開封が容易になる。【選択図】図１
0003234133.tif 000002
【実用新案登録請求の範囲】
【請求項１】
開封されたチャック式袋の開封口に貼り付けて用いられる開封補助シールにおいて、チャック付き袋の開封口に張り付けられる粘着部と指でつままれるつまみ部を有し、粘着部はプラスチックに貼っても容易にはがれない粘着力をもった開封補助シール。
【請求項２】
ポリエチレンに対しての９０度方向剥離力が０．８２０ｋｇｆ／３５ｍｍ以上であることを特徴とする請求項１に記載の開封補助シール。
【請求項３】
つまみ部の幅（Ｗ）が１．５ｃｍ以上高さ（Ｌ）が１．５ｃｍ以上であることを特徴とする請求項１または２に記載の開封補助シール。
【考案の詳細な説明】
【技術分野】
【０００１】  本考案は、チャック式袋の開封を容易にするために使用する開封補助シールに関するものである。
【背景技術】
【０００２】  食品用チャック式袋（ふりかけ、ごま、小麦粉等）は切り取り線に沿って切りとった後チャック袋を開いて食品を取り出し使用後はチャックを閉めて保管していた。【０００３】  しかし、チャック式袋を使用する際にチャック式袋は品質上、しっかり閉じるようになっているため、開封時に切り取り線に沿って切り取った後の開口部分がつかみにくいということが欠点であった。【０００４】  一般的にチャック式袋はきりとり線により開封し、チャック式袋を開ける際親指と人差し指でつまみ開封するのだがつまみ部が狭い為開けにくく力も入りにくいし落下することもあった。
【先行技術文献】
【特許文献】
【０００５】
【特許文献１】特許６１００９３８
【考案の概要】
【考案が解決しようとする課題】
【０００６】  特許文献１は切り取り線に沿って切り取った後広いつまみ部が形成され袋の開封作が容易となるチャック式付袋が提供されている、袋自体に加工する必要ががあるために手間がかかる、コストアップになる。
【課題を解決するための手段】
【０００７】  開封されたチャック式袋の開封口に貼り付けられる開封補助シールにおいて、チャック式袋の開封口に貼る粘着部と指でつままれるつまみ部を有することを特徴とする開封補助シールを使用することでどのようなチャック式袋でも開封しやすく出来る。
【考案の効果】
【０００８】  本考案の開封補助シールを袋に貼ることでつまみ部が広くなりよって持ちやすくなり安定するために開けやすくなるのは勿論だが落下防止、つまみが付いたところでの商品の持ちやすさであったりつまみ部に商品名を書くことも可能なため必要な時に取り出すのに役立つ。
【図面の簡単な説明】
【図１】（Ａ）は開封補助シール本体の表面図であり、（Ｂ）は裏面図である。
【図２】（Ｃ）は開封補助シールの粘着部にはくり紙を貼った状態であり、（Ｄ）は開封補助シールの粘着部のはくり紙を剥いだ状態である。
【図３】（Ｅ）はチャック式袋に開封補助シールを貼った表面図であり、（Ｆ）はチャック式袋に開封補助シールを貼った裏面図である。
【図４】（Ｈ）はチャック袋を開封するのに必要な力を測定する実験方法を示す図である。
【考案を実施する為の形態】
【００９】  開封補助シールを袋に貼るため、粘着剤の付いている部分のはくり紙を剥がして図３で示すようにしっかりと貼ることで固定する。
【００１０】  チャック式袋のつまみ部を指でつまみ、開封補助シールのつまみ部を引っ張ることでチャック式袋のチャックが開けやすくなった。
【００１１】  つまみ部の広さについて調べた結果、図１の（Ｌ）は表１に示すように１．５ｃｍ以上が好ましく、（Ｗ）は１．５ｃｍ以上が好ましく、さらに、（Ｌ）は２．５ｃｍ以上、（Ｗ）は３．５ｃｍ以上がより好ましい。
0003234133.tif 000003
【００１２】  開封補助シールの粘着部３の粘着力を設定するため、市販されている各種チャック式袋について、チャックを開くために必要な力を測定した。
【００１３】  実験方法を図４に示す。チャック式袋のつまみ部の一方を指でつまみ、他の一方に開封補助シールを貼り付けて引っ張り、９０度方向剥離力を測定したチャック式袋のチャックが開いた時の荷重を測定した。
【００１４】  なお、開封補助シールの寸法は３．５ｃｍであり開封補助シールのつまみ部をクリップ８で止めてバネばかりのフック９を引っかけて引っ張った。その結果を表２に示す。
【００１５】
【表２】
0003234133.tif 000004
【００１６】  全ての測定において開封補助シールが剥離する前にチャック式袋のチャック部が開いた表２にはチャック部が開いた時の荷重を示した以上の結果からチャック式袋に多く使用されているポリエチレンに入って９０度方向剥離力が０．８２０ｋｇｆ／３５ｍｍ以上あれば市買されている多くのチャック式袋の開封補助シールとして使用できる。
【符号の説明】
【００１７】  １    開封補助シール
２    つまみ部
３    粘着部３
４    はくり紙
５    チャック部
６    チャック式袋
７    バネばかり
８    クリップ
９    フック
１０  開口部
１１  チャック式袋のつまみ部
【図１】
0003234133.tif 000005
【図２】
0003234133.tif 000006
【図３】
0003234133.tif 000007
【図４】
0003234133.tif 000008
(57)【要約】      （修正有）【課題】地肌に直接装着する事で、リュックを背負う事で発生した肩周りの汗による汗じみを防止する肩汗取りパットを提供する。【解決手段】肩汗取りパットは、吸水性に優れた内側生地１ａと、防水性に優れたウレタンフィルム２ａを張り合わせ、本体１を肌面に接触する様に片腕ごと通しながら背負うように着用し、脇周辺で挟み固定する。肌面に接触した内側生地１ａの素材が汗を吸収し、外側のウレタンフィルム２ａで衣服への濡れ戻りを軽減する。縫い代４が肌面に接触しないように縫製上の工夫を施してある。【選択図】図１
0003234132.tif 000002
【実用新案登録請求の範囲】
【請求項１】
素肌に背負い、その上に肌着、シャツ等の軽衣料を羽織ります。リュック等の肩にある程度の時間や環境で負荷がかかった際に肌着、シャツ等の肩周りの汗の吸水促進と汗じみを軽減し快適な暮らしをサポートする肩周り汗取りパット
【請求項２】
吸水性に優れた肌側の生地と水分を外側に染み出さないように作成された生地のラミネーション素材
【考案の詳細な説明】
【技術分野】
【０００１】本考案は、リュックを背負った際に周囲の環境により肩周りの汗を衣服外に染みだすことを軽減するものである。
【背景技術】
【０００２】春先から初秋にかけて通勤、通学、買い物でリュックを背負った状態で肩周りに発生した汗による不快感が気になる。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】リュックを背負った状態での移動で肩周りの汗は、肌着を透過し肌着の上に羽織る、衣服にまで染み出し、目的地到着後に不快感が生じ、衣服がある程度、乾燥するまでに時間的、労働的負担である。肌着の下に着用する事で衣服染み出した汗を軽減する事で前途の欠点を解決しようとするものである。
【課題を解決するための手段】
【０００６】本考案は、吸水性に優れた内側生地と防水性に優れたウレタンフィルムを張り合わせる事で不快感を軽減すると共にリュックのショルダーに沿って肌着に下に背負う事で問題点を解決している。
【考案の効果】
【０００７】上述の様に、本考案は日常生活におけるリュックの普及によって生じた、不快感の軽減に役立つ。
【図面の簡単な説明】
【０００８】
【図１】本考案の肩周り汗取りパットの正面図である。
【図１】
0003234132.tif 000003
【手続補正書】
【提出日】令和3年6月17日(2021.6.17)
【手続補正１】
【補正対象書類名】実用新案登録請求の範囲
【補正対象項目名】全文
【補正方法】変更
【補正の内容】
【実用新案登録請求の範囲】
【請求項１】
吸水性を有する内側生地と防水性を有するウレタンフィルムの貼り合わせによる肩汗取りパット
(57)【要約】      （修正有）【課題】不織布製の使い捨て衛生マスク使用中に、マスクのずれにより鼻が露出すること及びずり落ちを防止するマスクを提供する。【解決手段】不織布製マスクに装備されている樹脂製または金属製フレームを利用してフック型に形成し、眼鏡にかけられるようにした。これによりマスク使用中にずれが起きることを防止できる。マスクを外す場合には片手でフックを外すことができる。【選択図】図１
0003234178.tif 000002
【実用新案登録請求の範囲】
【請求項１】
不織布製衛生マスクにフックを付け、そのフックを眼鏡の中央部にかけることによりずり落ちを防ぐ機能を有するマスクである。
【請求項２】
不織布製衛生マスクに装備されている樹脂製もしくは金属製フレームを中央部で曲げフック型に加工する。
【請求項３】
不織布製衛生マスクに装備されている樹脂製もしくは金属製フレームにフックを取り付ける。
【考案の詳細な説明】
【技術分野】
【０００１】  本考案は、使い捨て不織布製マスクの上部中央にフックを取り付けることにより、そのフックを眼鏡中央のつるにかけることでマスクのずり落ちを防止する機能をもつマスクに関するものである。
【背景技術】
【０００２】花粉、ほこり、ウイルスなどを防止するためにつける不織布製のマスクは使用中にしゃべることでずれることがあり、はなはだしい場合は鼻がでてしまうことがある。
【先行技術文献】
【特許文献】
【０００３】
【特許文献１】特開２０１９−０１９４３５
【特許文献２】
【非特許文献】
【０００４】
【非特許文献１】
【非特許文献２】
【考案の概要】
【考案が解決しようとする課題】
【０００５】  インフルエンザ、新型コロナウイルス等の感染を防止する目的でマスクを使用する場合には、ずり下がったマスクを手指で触れてもどすことは推奨されない。
【課題を解決するための手段】
【０００６】  本考案はマスクの上部に埋め込まれている顔の形に応じて折り曲げる樹脂製のフレームを長めのものとして眼鏡の中央部にかけられるフックに加工しその、フックをかけることによりマスクがずれることを防止する。
【考案の効果】
【０００７】  マスクが眼鏡と一体化していることによりウイルス感染の確率を減少させられる効果を有する。
【図面の簡単な説明】
【０００８】
【図１】本考案のフック図の概念図である。
【考案を実施するための形態】
【０００９】
【図２】
本考案に使用する樹脂製折り曲げ可能なフレームの位置関係図である。
【産業上の利用可能性】
【００１０】現在生産されて市場に出回っている不織布製のマスクのほとんどが樹脂製フレームをマスク上部に装備していることから改造によって利用される可能性は大きい。
【符号の説明】
【・・・・】
【配列表フリーテキスト】
【図１】
0003234178.tif 000003
【図２】
0003234178.tif 000004
【手続補正書】
【提出日】令和3年6月10日(2021.6.10)
【手続補正１】
【補正対象書類名】実用新案登録請求の範囲
【補正対象項目名】全文
【補正方法】変更
【補正の内容】
【実用新案登録請求の範囲】
【請求項１】
不織布製衛生マスク上部に装備されている顔面密着機能を担う樹脂製もしくは金属製フレームが中央部においてマスクの外に出ていてフック型に加工されており、同フックを眼鏡中央部のつるにかけることによりずり落ち防止機能を有するマスク。
【手続補正２】
【補正対象書類名】明細書
【補正対象項目名】０００８
【補正方法】変更
【補正の内容】
【０００８】
【図１】本考案のフック図の概念図である。
【図２】本考案のフックの折り曲げの概念図である。
(57)【要約】      （修正有）【課題】通常の毛先の大きな歯ブラシと毛先の小さな歯間用歯ブラシの二本を一体化した携帯竹歯ブラシを提供する。【解決手段】竹の柄２の両端に、通常の毛先の大きな歯ブラシ１と毛先の小さな歯間用歯ブラシ３を一体化させた。【選択図】図１
0003234129.tif 000002
【実用新案登録請求の範囲】
【請求項１】
通常の大きな歯ブラシと、毛先の小さな歯間用歯ブラシ、この毛先の大小の歯ブラシを、一本の歯ブラシに一体化させた携帯歯ブラシ。
一本の竹の柄の歯ブラシの両端に一体化させた携帯歯ブラシ。
【考案の詳細な説明】
【技術分野】
【０００１】本考案の携帯歯ブラシは、大きな通常の歯ブラシと、小さな歯間用の歯ブラシの二本を一本化して、携帯に便利に且つ軽くする事を目的とする。
【背景技術】
【０００２】従来の携帯歯ブラシは、大きな通常の歯ブラシと、小さな毛先の歯間用歯ブラシの二本をケースに入れて持ち運ばなければならなかった。【０００３】以下図１により、従来の携帯歯ブラシの説明をする。従来の携帯歯ブラシは、大きな通常の歯ブラシと、小さな毛先の歯間用歯ブラシを一本にして、一体化した歯ブラシではなかった。
【考案の概要】
【考案が解決しようとする課題】
【０００４】以上に述べた従来の携帯歯ブラシは、大きな通常の歯ブラシと小さな歯間用歯ブラシを二本ケースに入れ持運ばなければならなかった。【０００５】歯ブラシの柄を竹にする事。
【課題を解決する為の手段】
【０００６】通常の大きな歯ブラシと、毛先の小さな歯間用歯ブラシ、この毛先の大小の歯ブラシを、一本の歯ブラシに一体化させた携帯歯ブラシ。
一本の竹の柄の歯ブラシの先端に一体化させた携帯歯ブラシ。
【０００７】一体化及び従来の有害とされる歯ブラシの柄を竹に変えることで大きくエコロジー歯ブラシとして愛好される。やっとスウェーデンから竹歯ブラシが日本にも輸入され買ってみた。
非常に軽い。しかし歯間ブラシとの一体化された歯ブラシではない。日本製の竹歯ブラシも歯間用歯ブラシとの一体化された歯ブラシではない。
【図１】
0003234129.tif 000003
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
毎日、廃棄されるポリプロピレンの歯ブラシの海洋汚染を防ぐ事を目的とする竹の歯ブラシの先端に、通常の大きな歯ブラシと小さな歯間用歯ブラシを一体化させた携帯用の竹歯ブラシ。
【手続補正２】
【補正対象書類名】明細書
【補正対象項目名】全文
【補正方法】変更
【補正の内容】
【考案の詳細な説明】
【技術分野】
【０００１】  本考案は、今も海を汚染している従来のポリプロピレンの歯ブラシの柄を、環境にやさしい竹の歯ブラシに変更して、この両端に大小の歯ブラシを取付けた歯ブラシに関するものである。
【背景技術】
【０００２】  毎日、歯を磨く為に海洋汚染を促進するポリプロピレンの歯ブラシで歯を磨いていた。
【考案の概要】
【考案が解決しようとする課題】
【０００３】  次世代に美しい海を残したいが、毎日廃棄され続けるポリプロピレンの歯ブラシは環境を汚染し続ける為に、竹の歯ブラシの両端に大小の歯ブラシを取付けたエコロジー携帯竹歯ブラシとして解決しようとするものである。
【課題を解決するための手段】
【０００４】  本考案は、携帯歯ブラシとして二つの便利性を持ち試作品を作り実際に歯を磨いてみると、通常の大きな歯ブラシで歯を磨いた後に歯間用の小さな歯ブラシを持ち変る必要がなく、竹歯ブラシの柄をクルリと回転して歯を磨く事ができ、もう一つの便利性は大きな通常の歯ブラシと小さな歯間用の歯ブラシを二本持ち運ぶ必要がなく且つ、従来のポリプロピレンの歯ブラシから、環境にやさしい竹歯ブラシに変える事で、地球環境と海洋汚染問題を解決している。
【考案の効果】
【０００５】  本考案の携帯竹歯ブラシは、約１０年前から日本に輸入され販売されているスウェーデンの竹歯ブラシと同じように、日本も１０年先には全ての歯ブラシが環境にやさしい竹歯ブラシに変わっている事を信じ続けたい。
【図面の簡単な説明】
【０００６】
【図１】本考案の携帯竹歯ブラシの正面図である。
【符号の説明】
【０００７】  １  通常の大きな歯ブラシ
２  柄  竹歯ブラシ
３  歯間用の小さな歯ブラシ
【手続補正書】
【提出日】令和3年6月17日(2021.6.17)
【手続補正１】
【補正対象書類名】実用新案登録請求の範囲
【補正対象項目名】全文
【補正方法】変更
【補正の内容】
【実用新案登録請求の範囲】
【請求項１】
竹の柄の両端に、通常の大きな歯ブラシと小さな歯間用歯ブラシを一体化させた携帯竹歯ブラシ。
(57)【要約】      （修正有）【課題】空中に浮遊するおもちゃ箱として、安全に活用できる、係留型送風浮遊箱を提供する。【解決手段】発泡スチロール製本体１内部中央へ複数のプロペラ２とコアレスモーター３を装着した円筒形ダクト４を装着台５に固定し挿入する。発泡スチロール製本体内部にある電源６により円筒形ダクト内部にある複数のプロペラを駆動し、空気取入口７より整流された空気を排出口８より噴射して、空中へ浮遊する。コントロールパネル９を用いて、高さ調整しポリウレタン樹脂製スポンジ１０横のロープ１１を杭１２に固定する。【選択図】図１
0003234130.tif 000002
【実用新案登録請求の範囲】
【請求項１】
発泡スチロール製本体内部中央に設置した複数のプロペラとコアレスモーターを装着した円筒形ダクトを含んで構成される送風浮遊箱であって、発泡スチロール製本体内部にあるコントロールパネルを用いて制御する事を特徴とする送風浮遊箱
【考案の詳細な説明】
【考案の詳細な説明】
【０００１】
【技術分野】  おもちゃ分野
【背景技術】
【０００２】  従来、風船や磁石の磁力による浮遊及びモーターのプロペラ回転による飛行機等が有ったが、機能が低く、活用するのに制限があった。
【考案の開示】
【考案が解決しようとする課題】
【０００３】  本案は、その欠点を除いて、しかも機能を活かした送風浮遊箱を開発しようとするものである。
【課題を解決するための手段】
【０００４】  いま、その解決手段を図面を追いながら説明すれば
（イ）  発泡スチロール製本体（１）内部中央へ複数のプロペラ（２）とコアレスモーター（３）を装着した円筒形ダクト（４）を装着台（５）に固定し挿入する。
（ロ）  発泡スチロール製本体（１）内部にある電源（６）により円筒形ダクト（４）内部にある複数のプロペラ（２）を駆動し、空気取入口（７）より整流された空気を排出口（８）より噴射して、空中へ浮遊する。
（ハ）  コントロールパネル（９）を用いて、高さ調整しポリウレタン樹脂製スポンジ（１０）横のロープ（１１）を杭（１２）に固定する。
【考案の効果】
【０００５】  本案は、以上のような構造であるから、これを使用する事により、空中に浮遊するおもちゃ箱として、安全に活用できる送風浮遊箱である。
【考案を実施するための最良の形態】
【実施例】
【０００６】  なお、本案の実施にあたって次の如きことができる。
（イ）  円筒形ダクト（４）に装着した複数のプロペラ（２）とコアレスモーター（３）により渦気流及び騒音を減少させ、整流された空気による噴射により、複数の発泡スチロール製本体（１）を空中で連結して、安全浮遊する事ができる。
【図面の簡単な説明】
【０００７】
【図１】  本考案の送風浮遊箱の正面図
【符号の説明】
【０００８】（１）発泡スチロール製本体（２）プロペラ（３）コアレスモーター
（４）円筒形ダクト（５）装着台（６）電源（７）空気取入口
（８）排出口（９）コントロールパネル（１０）ポリウレタン樹脂製スポンジ（１１）ロープ（１２）杭
【図１】
0003234130.tif 000003
【手続補正書】
【提出日】令和3年3月12日(2021.3.12)
【手続補正１】
【補正対象書類名】実用新案登録請求の範囲
【補正対象項目名】全文
【補正方法】変更
【補正の内容】
【実用新案登録請求の範囲】
【請求項１】
整流された空気の噴射をする複数のプロペラを装着した円筒形ダクトを含んで構成される送風浮遊箱であって、複数の長さや大きさの異なる組合せができる構造物を特徴とする送風浮遊箱
【手続補正書】
【提出日】令和3年6月16日(2021.6.16)
【手続補正１】
【補正対象書類名】実用新案登録請求の範囲
【補正対象項目名】全文
【補正方法】変更
【補正の内容】
【実用新案登録請求の範囲】
【請求項１】
発泡スチロール製本体と、複数のプロペラと、コアレスモータと、円筒形ダクトとを有し、前記円筒形ダクトは、前記発泡スチロール製本体の内部中央に設置され、前記複数のプロペラと前記コアレスモータは、前記円筒形ダクトに装着され、前記円筒形ダクトには、空気取入口と、空気排出口が設けられていることを特徴とする送風浮遊箱
(57)【要約】      （修正有）【課題】枠材の後付けを含め、額縁への収納を必要としない絵画支持体で、目方も重くなく、収納を目的とした額縁製品の出費が発性せず、視覚的にもスマートでごつく無く、仕上がった絵画をそのまま気軽に飾る事が出来る、縁付き絵画用支持体を提供する。【解決手段】絵画用支持体の、へり及び小口に、Ｕ字形又はコの字形の枠材５を被せて接着して、支持体の四方のへりならびに小口全ての枠材を接合する。これにより額縁のように表現出来、製品当初から枠材の付いた、絵画用支持体６が出来、収納を目的とした額縁の重さ及び金銭的な出費が発性せず、仕上がった絵画をニス等で表面保護７して、吊り金具又は置物としての補助部材をすれば、軽くスマートで気軽に飾ることが出来る。【選択図】図３
0003234279.tif 000002
【実用新案登録請求の範囲】
【請求項１】
絵画用支持体の、へり及び小口の厚みに合わせた適度な寸法の、Ｕ字形又はコの形の、金属或いは木製の枠材を被せて接着し、四方のへり及び全ての小口に被せた枠材を接合して設けた特徴の製品で、縁の後付けを含め、額縁を必要としない事を目的にした、縁付き絵画用支持体。
【請求項２】
絵画支持体の、四方のへり及び小口全てに被せた枠材の代用に、厚紙の枠組みに巻き付けた、任意の柄の和紙又は布などを被せて接合しても、同様の目的の製品が出来、請求項１記載の、縁付き絵画用支持体。
【考案の詳細な説明】
【技術分野】
【０００１】本考案は、適度な厚みのある任意の大きさの、絵画用支持体（ボード、キャンバス、木板、ＭＤＦ、等）などの、縁の後付けを含め、額縁への収納を必要としない事を目的に考えた物で、製品当初から額縁のような縁を備えた、縁付き絵画用支持体である。
【背景技術】
【０００２】各種の絵画用支持体にて仕上げた絵画の多くは、縁の後付け又は額縁に収めて飾られることが多い。
【選考技術文献】
【特許文献】
【０００３】
【特許文献１】実登３，０８１，６０６  Ｂ４４Ｃ５１／０４＠Ｚ
【考案の概要】
【考案が解決しようとする課題】
【０００４】仕上げた絵画に、後付けで縁を取り付けるには多少の技術が必要になり、額縁に絵画を収納した場合は、ある程度目方が増え、掲げる壁面にも余分な負担が生じ、金銭的に額縁の代金の出費が発生し、視覚的にもごつくなりやすい。したがって、製品当初から額縁のような縁を備えた絵画用支持体を活用することにより、重量が軽く、経済的な負担も発生せず、視覚的にもスマートに掲げることが出来、近頃の性能の良い表面保護ニスを活用して、前途の欠点を解決しようとするものである。
【課題を解決するための手段】
【０００５】本考案は、絵画用支持体の厚みに合わせ、適度な大きさのＵ字形コの字形の枠材を四方のへり及び小口全体に被せ、接合して仕上げた物で、製品当初から額縁のような縁を備えた絵画用支持体であり、仕上がった絵画の表面をニスなどにより保護すればそれぞれの課題の問題点を解決出来る。
【考案の効果】
【０００６】上述の様に、本考案の縁付き絵画用支持体は、重さも軽く、余分な金銭の出費が無く、視覚的にもスマートでごつく無く、仕上がった絵画の支持体のまま気軽に飾る事が出来る。
【図面の簡単な説明】
【０００７】
【図１】  本考案の正面図で、基本の支持体１及び縁付き絵画用支持体２である。
【図２】  本考案の側面図で、基本の支持体３及び縁付き絵画用支持体４である。
【図３】  本考案の制作工程の、参考図である。
【考案を実施するための形態】
【０００８】各種の絵画支持体（ボード、キャンバス、木板、ＭＤＦ、等）の厚み及び大きさに合わせＵ字形又はコの字形の任意の大きさの枠材を、へり及び小口に被せ接着し、支持体の四方のへり及び小口全ての枠材を接合する。これにより、製品当初から額縁のような縁が付いた、縁付き絵画用支持体が出来上がり、仕上がった絵画の支持体を、各種吊り金具又は置物仕様にする補助部材を利用して、そのまま気軽に飾る事が出来る。
【符号の説明】
【０００９】１  絵画用支持体の正面図
２  枠材を設置した絵画用支持体の正面図
３  側面から見た絵画用支持体
４  側面から見た縁付き絵画用支持体
５  各種枠材
６  縁をまとった絵画用支持体
７  ニス等の保護処理の仕上げ形態
【図１】
0003234279.tif 000003
【図２】
0003234279.tif 000004
【図３】
0003234279.tif 000005
【手続補正書】
【提出日】令和3年3月8日(2021.3.8)
【手続補正１】
【補正対象書類名】実用新案登録請求の範囲
【補正対象項目名】請求項２
【補正方法】変更
【補正の内容】
【請求項２】
前記、請求項１記載の四方のへり及び全ての小口に被せて接合した縁材表面に、彩色したり、任意の柄の、色紙、和紙、布を接着して任上げる事も出来る、縁付き絵画用支持体。
【手続補正書】
【提出日】令和3年6月14日(2021.6.14)
【手続補正１】
【補正対象書類名】実用新案登録請求の範囲
【補正対象項目名】全文
【補正方法】変更
【補正の内容】
【実用新案登録請求の範囲】
【請求項１】
絵画用支持体の、へり及び小口の厚みに合わせた適度な寸法の、Ｕ字形又はコの形の、金属或いは木製の枠材を被せて接着し、四方のへり及び全ての小口に被せた枠材を接合して設けた特徴の製品で、縁の後付けを含め、額縁を必要としない事を目的にした、縁付き絵画用支持体。
(57)【要約】      （修正有）【課題】男性が小用をする場合、簡便に手早く用を済ませられる男性用パンツオムツを提供する。【解決手段】パンツオムツ１前面に、切込み２を設ける。また、体裁を整えるため、切込み部に重ね合わせ部を設ける。【選択図】図１
0003234278.tif 000002
【実用新案登録請求の範囲】
【請求項１】
店頭あるいは通信手段によって販売される「パンツオムツ」について、前面に切り口を設けた男性用パンツオムツ。
【請求項２】
前面に切り込みを設けた「パンツオムツ」において、切込みの部分に重ね合わせ部を設けた男性用パンツオムツ
【考案の詳細な説明】
【技術分野】
【０００１】下着など衣類に関わる製造分野および関連する商業分野に適応する。
【背景技術】
【０００２】オムツについては「パンツオムツ」が男女の区別なく製造・販売されている。
【考案の梗概】
【考案が解決しようとする課題】
【０００３】従来のパンツオムツは男女兼用のため、男性は小用の場合にもパンツオムツを下ろす必要がある。そのため、その都度便器に座るか男性用便器の前で前を下ろす作業が面倒であり、殊に頻尿の人は手早く用をなせずに困惑する場合がある。
【課題を解決するための手段】
【０００４】図１の如くパンツオムツの前面に切り込みを設ける。
【考案の効果】
【０００５】パンツオムツの前面に切り込みを入れることにより、男性が小用をする際にいちいちパンツを下げずに済む。そのため、外出先などにおける男性用の小用便器を手軽に使用でき、しかも手早く小用を済ませられるため頻尿の方も安心できる。
【図面の簡単な説明】
【図１】パンツオムツの前面に切り込みを入れた例を示す。
【図２】図１に加え、パンツオムツの切込み部に重ね合わせを設けた例を示す。
【考案を実施するための形態】
【０００６】製造工程においては一般的な男性用パンツと同様に前面切り込み部を設けたパンツオムツを製造し、販売現場においては男女兼用と区別して男性用を販売する。
【実施例】
【０００７】以下、添付図面に従って一実施例を説明する。図１はパンツオムツに切り込みを設けたものを示し、図２は切り込み部に重ね合わせを設けたパンツオムツを示す。
【符号の説明】
【００８】１  パンツオムツ（前面）
２  切込み部
３  重ね合わせ部
【図１】
0003234278.tif 000003
【図２】
0003234278.tif 000004
(57)【要約】      （修正有）【課題】雨漏りを防止するために、接合面に本実加工、雇い実加工、コーキング処理が不要な、接合面を斜めに加工したログハウスを提供する。【解決手段】ログハウス部材の接合面を、屋外側が室内側より低くなるように斜めに加工することにより雨水が室内に漏れ入ることを防止し、本実加工、雇い実加工や、接合面へのコーキング処理を不要とする。【選択図】図１
0003234271.tif 000002
【実用新案登録請求の範囲】
【請求項１】
接合面を斜めに加工したログハウス。
【請求項２】
接合面を斜めに加工したログハウス用部材、および部材キット。
【考案の詳細な説明】
【技術分野】
【０００１】  建築物。
【考案の概要】
【０００２】  ログハウス部材の接合面を斜めに加工することにより、雨漏りを防止する。
【考案が解決しようとする課題】  従来、ログハウスを建築する際に、雨漏りを防止するためには、接合面に本実加工、雇い実加工などの加工を施すか、接合面にコーキング処理を施す必要があった。
【課題を解決するための手段】ログハウス部材の接合面を斜めに加工することにより、本実加工、雇い実加工や、接合面へのコーキング処理を不要とする。
【図面の簡単な説明】ログハウス部材の接合面を、屋外側が室内側より低くなるように斜めに加工して、雨水が室内に漏れ入ることを防止する。
【図１】
【図１】
0003234271.tif 000003
【手続補正書】
【提出日】令和2年9月25日(2020.9.25)
【手続補正１】
【補正対象書類名】実用新案登録請求の範囲
【補正対象項目名】全文
【補正方法】変更
【補正の内容】
【実用新案登録請求の範囲】
【請求項１】
接合面を斜めに加工したログハウス。
【請求項２】
角ログハウスにおける接合面を斜めに加工したログハウス用部材、ログハウス部材キット、およびログハウス。
【手続補正２】
【補正対象書類名】明細書
【補正対象項目名】全文
【補正方法】変更
【補正の内容】
【考案の詳細な説明】
【技術分野】
【０００１】  建築物。
【考案の概要】
【０００２】  ログハウス部材の接合面を斜めに加工することにより、雨漏りを防止する。
【考案が解決しようとする課題】  従来、ログハウスを建築する際に、雨漏りを防止するためには、接合面に本実加工、雇い実加工などの加工を施すか、接合面にコーキング処理を施す必要があった。
【課題を解決するための手段】  ログハウス部材の接合面を斜めに加工することにより、本実加工、雇い実加工や、接合面へのコーキング処理を不要とする。
【図面の簡単な説明】
【図１】図１は、ログハウス部材の接合面の断面図である。ログハウス部材の接合面を、屋外側（図左側）が室内側（図右側）より低くなるように斜めに加工して、雨水が室内に漏れ入ることを防止する。
【手続補正書】
【提出日】令和3年4月11日(2021.4.11)
【手続補正１】
【補正対象書類名】実用新案登録請求の範囲
【補正対象項目名】全文
【補正方法】変更
【補正の内容】
【実用新案登録請求の範囲】
【請求項１】
角ログハウスにおける接合面を斜めに加工したログハウス用部材。
【手続補正２】
【補正対象書類名】明細書
【補正対象項目名】全文
【補正方法】変更
【補正の内容】
【考案の詳細な説明】
【技術分野】
【０００１】  建築物。
【考案の概要】
【０００２】  ログハウス部材の接合面を斜めに加工することにより、雨漏りを防止する。
【考案が解決しようとする課題】  従来、ログハウスを建築する際に、雨漏りを防止するためには、接合面に本実加工、雇い実加工などの加工を施すか、接合面にコーキング処理を施す必要があった。
【課題を解決するための手段】ログハウス部材の接合面を斜めに加工することにより、本実加工、雇い実加工や、接合面へのコーキング処理を不要とする。
【図面の簡単な説明】
【図１】図１は、ログハウス部材の接合面の断面図である。ログハウス部材の接合面を、屋外側（図左側）が室内側（図右側）より低くなるように斜めに加工して、雨水が室内に漏れ入ることを防止する。
(57)【要約】      （修正有）【課題】家庭用マスクの通気性を良くするクッション材を提供する。【解決手段】柔らかいクッション材２を家庭用マスク１の裏面の中央下部に設置する。家庭用マスクを装着した時にクッション材２の両サイドの隙間から吐息が排出され、新鮮な空気が流入することを可能にする。【選択図】図１
0003234282.tif 000002
【実用新案登録請求の範囲】
【請求項１】
柔らかいクッション材（２）を家庭用マスク（１）裏面の中央下部に設置し、家庭用マスク（１）を装着した時に柔らかいクッション材（２）両サイドの隙間から吐息が排出され、新鮮な空気が流入するようにできるクッション材。
【考案の詳細な説明】
【技術分野】
【０００１】  本考案は、家庭用マスクの通気性を良くするクッション材に関するものである。
【背景技術】
【０００２】  従来の家庭用マスクは顔にフィットしているため、酸欠状態になったり蒸れが生じ不快感があった。上記を改善するために通気性を良くする工夫がなされてきた。【０００３】  ［特許文献１］は、家庭用マスクの上部にクッションパッドを装着したものである。
［特許文献２］は、家庭用マスクの中に補助スペーサーを装着したものである。
［特許文献３］は、家庭用マスクの素材を通気性のある物にしたものである。
［特許文献４］は、顔面に密着した家庭用マスクに通気性カバーを取り付けたフィルターである。【０００４】  しかしながら、家庭用マスクの下部は、顔面に密着する形状である。
【先行技術文献】
【特許文献】
【０００５】
【特許文献１】特開２０１３−０４８８９８号公報
【特許文献２】特許６８５７９２６号公報
【特許文献３】実登３２１０４３０号公報
【特許文献４】特開２００７−２４４５４９号公報
【考案の概要】
【考案が解決しようとする課題】
【０００６】  解決しようとする問題点は、家庭用マスクの下部が顔面に密着し通気性が良くないため、酸素欠乏や家庭用マスクの中が蒸れるなど不快感が生じている。
【課題を解決するための手段】
【０００７】  家庭用マスク裏側の中央下部にやわらかいクッション材を設置し、アゴとマスクの間に隙間を作り、直接に鼻からの吐息が外部に出て、新鮮な空気が入るようにする。【０００８】  本考案のクッション材（２）を家庭用マスク本体（１）の裏側中央下部に設置し、顔面とマスクの間に隙間を開ける。【０００９】  鼻からの吐息（３）が直接に外部へ出て、新鮮な空気（３）が取り込まれる。【００１０】  クッション材（２）の寸法は、縦横ともにアゴ幅のよりやや小さめ程度とし、高さは目立たないよう隙間ができる程度とする。
【考案の効果】
【００１１】  家庭用マスク（１）裏側の中央下部にやわらかいクッション材（２）を設置することで、吐息がこもらず、新鮮な空気が入るため、不快感が無くなり酸欠防止になる。
【図面の簡単な説明】
【００１２】
【図１】クッション材を設置した家庭用マスクを装備した横顔図
【図２】クッション材を設置した家庭用マスクを装備した正面図
【図３】家庭用マスクの裏側中央下部にクッション材を設置した図面
【考案を実施するための形態】
【００１３】  以下、本考案の実施の形態を図に基づいて説明する。
【実施例】
【００１４】  図１は、柔らかいクッション材（２）を設置した家庭用マスク（１）を装着した横顔で、クッション材（２）はアゴに当て隙間を作り空気の出入り（３）ができるようにする。【００１５】  図２は、柔らかいクッション材（２）を設置した家庭用マスク（１）を装着した正面顔で、クッション材（２）が見えないようにする。【００１６】  図３は、柔らかいクッション材（２）を家庭用マスク（１）の裏側中央下部に設置した図面。
【符号の説明】
【００１７】  １  家庭用マスク本体
２  柔らかいクッション材
３  空気の出入り
【図１】
0003234282.tif 000003
【図２】
0003234282.tif 000004
【図３】
0003234282.tif 000005
(57)【要約】      （修正有）【課題】本体構造のみで固定（弾性狭持）でき、使用時の安定感に優れ、器具を使わず容易に脱着できるフックを提供する。【解決手段】バネフック本体１と一体となるバネ部７を有するフックであり、バネ部７の張力を利用し被取付体とバネフック本体１を固定（弾性狭持）することができ、被取付体に対しバネ部７と第１湾曲部５及び第２湾曲部４、第３湾曲部６の３方向から、非直線的な４点以上の接点を持つことで使用時に安定感を保つことができる。また、バネフック本体の大きさ（特にバネ部の可動域）の範囲内で多様な被取付体に取付けできるバネフックであり、本体構造以外の手段を必要とせずに被取付体とフック本体を固定（弾性狭持）する事ができ、器具や工具を一切使わずに被取付体とバネフック本体を容易に脱着する事ができる。【選択図】図２
0003234281.tif 000002
【実用新案登録請求の範囲】
【請求項１】
１本の部材を上方へ向けてＵ字型に湾曲させて第１の湾曲部を作り、第１湾曲部の開端部の一方を前方から下方へ湾曲させて第２湾曲部とし、第２湾曲部の先端をさらに前方に向けてフック部とすると共に、第１湾曲部の開端部の他方を前方から下方へ向けて湾曲させ第３湾曲部とし、第３湾曲部の先端を第１湾曲部側後方に湾曲させてバネ部としたバネフックであって、バネ部を設けた１本の部材からなり、被取付体に対し弾性狭持することを特徴とするバネフック。
【考案の詳細な説明】
【技術分野】
【０００１】  この考案は、バネを利用した本体構造のみで固定（弾性狭持）する事ができ、使用時の安定感に優れ、器具を使わず容易に脱着できるバネフックに関する。
【背景技術】
【背景技術】
【０００２】従来から、パイプや竿等に吊下げ、脱着が可能なＳ型フック等が広く知られている。その他にもフックは様々な形状があり、様々な用途に用いられている。固定式フックには、粘着剤を使用した接着型フックや磁力を利用したマグネットフック、ビスや釘等で固定するフック等が知られている。
【考案の概要】
【考案が解決しようとする課題】
【０００３】  しかしながら、以上の技術によれば、Ｓ型フックは被取付体に容易に脱着でき、繰り返し使用出来るが、被取付体にフック本体を固定する事が困難である。また、フック本体に固定する機能が無いため、使用時にフックが安定しない。安定させるために固定する場合、本体をひもで縛るなどの手段を必要とし、極端に薄い板状の物への取付けも困難である。その他の手段を用いた場合でも、粘着型フックは繰り返し使用する事が困難であり、取外し時に接着剤が残ってしまったり、無理に取外すと被取付体を損傷する可能性がある。マグネットフックは被取付体が鉄製のみに限定されてしまう。ビス等を使用するフックは固定するために工具を必要とし、ビスの穴等で被取付体を損傷してしまう。そこでこの考案は、バネの張力を利用し、本体構造のみで被取付体へ本体を固定（弾性狭持）でき、使用時の安定感に優れ、器具を使わず容易に脱着でき、繰り返し使用できるバネフックを提供することを課題とする。
【課題を解決するための手段】
【０００４】  以上の課題を解決するための考案は、幾つかの湾曲部を持つ１本の部材からなり、本体と一体となるバネ部を有するバネフックであり、バネ部の張力を利用し被取付体を本体構造のみで挟み込み弾性狭持する構成とした。
【考案の効果】
【０００５】  この考案によれば、バネ部を有する本体構造のみで被取付体を挟み込むため、被取付体と本体を固定（弾性狭持）する事ができ、使用時の安定感にすぐれている。バネ部で挟み込む事により安定に優れるため、動く被取付体にも利用する事ができる。例えば、塗装作業時の塗料缶に取付けて刷毛や道具を掛けたり、清掃時のバケツに取付けて雑巾を掛けたり、飛行機や列車の簡易テーブルなどにも取付ける事もできる。この他にも多種多様の用途に利用する事ができる。
【図面の簡単な説明】
【０００６】
【図１】この考案の一実施形態の側面図及び説明図である。
【図２】この考案の一実施形態の正面図及び説明図である。
【図３】この考案の固定（弾性狭持）状態を示す説明図である
【図４】この考案の装着状態を示す図である。
【図５】この考案の装着状態を示す図である。
【図６】この考案の使用例を示す図である。
【考案を実施するための形態】
【０００７】  この考案の一実施形態を、図１及び図２に示す。
バネフック本体１はフック端部２より、フック部３、第２湾曲部４、第１湾曲部５、第３湾曲部６、バネ部７、バネ端部８が一体的に設けられている鉄製又は樹脂製や硬質ゴムで形成される。バネ部７の特性を損なわないために、多少の曲げ延ばしができ、元の形状に戻る適度な硬さ、太さの材質を使用する。基本的には一本の丸棒を曲げ加工するか、鋳造にて一体で作製するなど強度不足にならないよう、接着等はしないものとする。
【０００８】  この考案の装着状態を図４、図５に固定状態を図３に示す。
塗料缶９の塗料缶上端１０にバネフック本体１を差しこむように装着する。装着する際はバネ端部８に曲げ加工を施しているため、容易に差し込むことができる。バネフック本体１を差しこむと、塗料缶９の塗料缶上端１０に第２湾曲部４と第３湾曲部６が当たり差し込み位置が決まる。差し込みが完了すると、第１湾曲部５が塗料缶外面１１に密着し、バネ部７が塗料缶内面１２に密着する。この時バネ部７の弾性張力によって塗料缶９を挟み込む形となり、バネフック本体１に塗料缶９は弾性狭持された状態となる。
塗料缶９に対してバネフック本体１の接点は第２湾曲部４と第３湾曲部６、バネ部７、及び第１湾曲部５がそれぞれ一点〜数点で当たり、塗料缶上端１０と塗料缶外面１１及び塗料缶内面１２への３方向へ非直線的な４点以上の接点となる。
【０００９】  この考案の代表的な使用例を図６、図７に示す。
図５は飛行機や新幹線などの座席に備え付けの簡易テーブルへの取付け使用例である。テーブルを出した時と畳んだ時の両方で利用できる。
図６はバケツにバネフックを使用し雑巾を掛けた使用例である。フックでバケツの外側に雑巾を掛けることで、移動中に雑巾がバケツの水で濡れてしまうのを防ぐことができる。作業が終われば簡単にバネフックを取外すことができる。
【００１０】「他の実施形態」
図に示した使用例の他にも使用できる用途は多種多様であり、大きさや強度も用途や被取付体によって設定できる。また、基本的な構造を維持しながらフック部や湾曲部に意匠性を持たせたデザインにすることも可能である。
【符号の説明】
【００１１】１    バネフック本体
２    フック端部
３    フック部
４    第２湾曲部
５    第１湾曲部
６    第３湾曲部
７    バネ部
８    バネ端部
９    塗料缶
１０  塗料缶上端
１１  塗料缶外面
１２  塗料缶内面
【図１】
0003234281.tif 000003
【図２】
0003234281.tif 000004
【図３】
0003234281.tif 000005
【図４】
0003234281.tif 000006
【図５】
0003234281.tif 000007
【図６】
0003234281.tif 000008
(57)【要約】      （修正有）【課題】一斗缶内の側面及び底面に付着した粘性の内容物を迅速且つ容易に掬い取るヘラを提供する。【解決手段】ヘラ主体１に先端直線部３及び角端部４と曲端部５を有し、一体となる柄２を接合又は一体形成するヘラであり、ヘラ主体１の一斗缶側面及び底面の平面に対して先端直線部３が、底面角の直角部に対して角端部４が、側面コーナー曲面部に対しては曲端部５がそれぞれ密着し、素材のゴム状弾性特性を利用して、一斗缶内部側面及び底面に付着した粘性の内容物を迅速且つ容易に掬い取る事ができる。また、柄２は使用環境に合わせて材質及び形状を変えることができる。【選択図】図１
0003234205.tif 000002
【実用新案登録請求の範囲】
【請求項１】
１枚のゴム状の弾力を持つ板材の先端部に直線的な１辺を作り、その直線の１端を直角又は直角以下とし、もう１端を半径２１ｍｍから２３ｍｍの曲線部を持つゴム板状のヘラであって、持ち手部分の柄とゴム板状のヘラ主体が一体に形成され、一斗缶内部に付着した粘性の内容物を掬い取る事が可能な一斗缶用ヘラ。
【考案の詳細な説明】
【技術分野】
【０００１】  この考案は、一斗缶（角型石油缶）内の底面及側面に付着した、粘性のある塗料や油脂等の内容物を容易に掬い取ることができるヘラに関する。
【背景技術】
【背景技術】
【０００２】従来から粘性のある塗料等が入った一斗缶の天蓋を切って使用する際、空になった缶内の側面及び底面に残留した塗料等の掬い取りにゴム製及びシリコン製等のヘラが広く知られている。ヘラには様々な大きさや形状の物があり、基本的に平たい面を掬うための直線状の先端を有し、その両端は直角以下の角をもつ形状のヘラが広く知られている。調理等に使用する小型の調理用ヘラには曲線的な先端をもつ物が知られている。
【考案の概要】
【考案が解決しようとする課題】
【０００３】しかしながら、以上の技術によれば、一般的なゴムベラは直線状の先端の両端が角になっており、一斗缶の側面及び底面の平面や底面の直角な角の塗料等を掬う事は出来るが、側面の湾曲したコーナー部の塗料等を掬う事が困難である。調理用ヘラは少量の食材を掬うためにゴムベラより小型で柔らかな弾性があり、先端部も調理器具に適すよう緩やかな曲線であるため、一斗缶の塗料等を掬い取る用途に適さない。大量の塗料等を使用する環境では、廃棄物の削減や迅速な作業を求められるが、現状ではコーナー部の塗料等が残留したまま廃棄していたり、複数のヘラを使用していたり、既存のゴムベラを使用して時間をかけて掬い取っている。そこでこの考案は、迅速に且つ容易に、一斗缶内に付着した塗料等を掬い出すヘラを提供することを課題とする。
【課題を解決するための手段】
【０００４】  以上の課題を解決するための考案は、１枚のゴム状の適度な弾性を持つ板材の先端部に直線的な１辺を作り、その直線の１端に直角又はそれ以下の角端部を有し、もう１端に一斗缶側面コーナー部と同じ径である半径２１ミリメートルから２３ミリメートルの湾曲した曲端部を持つヘラを主体とし、持ち手部分の柄とヘラ主体が一体となる構成とした。
【考案の効果】
【０００５】  この考案によれば、一体型のヘラで一斗缶内部に付着した粘性の内容物を迅速且つ容易に掬い取ることができ、湾曲したコーナー部の残留物等も容易に掬い取ることができるため、作業時間の短縮及び廃棄物の削減をする事ができる。
【図面の簡単な説明】
【０００６】
【図１】この考案の一実施形態の正面図及び説明図である。
【図２】この考案の一実施形態の側面図及び説明図である。
【図３】この考案の他の実施形態示す図である。
【図４】この考案の他の実施形態示す図である。
【図５】この考案の使用例を示す図である。
【図６】この考案の使用例を示す図である。
【考案を実施するための形態】
【０００７】  この考案の一実施形態を、図１、図２に示す。
ヘラ主体１はゴム状の弾力ある素材とし、柄２と接合又は一体成型で作られる。ヘラ主体１は先端直線部３を持ち、先端直線部３の１端は直角又は直角以下の角端部４とし、もう１端を半径２１ミリメートルから２３ミリメートルの曲端部５が一体的に設けられているゴム製又はシリコン製の弾力ある素材で形成される。柄２は持ち手部分となるため、使用環境に合わせて材質を選定することができ、長さや太さは特定されないが、使用時の特性を損なわないよう、木製や樹脂製又はヘラ主体１と同素材の一体成型で作られる。ヘラ主体１はゴム板状の弾性特性を利用するため、柄２接合部から先端直線部３にかけて徐々に薄くなるように形成される。
【０００８】  この考案の他の実施形態を図３、図４に示す。説明図は図１を参照する。
図３のようにヘラ主体１と柄２を継ぎ目無く一体で成型することができる。
図４のように柄２を長さの長いものを接合して作る事が出来る。
【０００９】  この考案の代表的な使用例を図５、図６に示す。説明図は図１を参照する。
図５は一斗缶の天蓋を切った上面図であり、一斗缶側面の掬い取り状況を示した使用状況である。側面平面部に対して先端直線部３が密着すると同時に、側面コーナーの曲面部に対しては曲端部５が密着して一斗缶側面に付着した内容物を掬い取る事ができる。図６は一斗缶正面図及び内部透視図であるが、一斗缶底面平面部に対して先端直線部３が密着すると同時に、底面角の直角部に角端部４が密着して一斗缶底面に付着した内容物を掬い取る状況を示した使用状況である。
【符号の説明】
【００１０】１  ヘラ主体
２  柄
３  先端直線部
４  角端部
５  曲端部
【図１】
0003234205.tif 000003
【図２】
0003234205.tif 000004
【図３】
0003234205.tif 000005
【図４】
0003234205.tif 000006
【図５】
0003234205.tif 000007
【図６】
0003234205.tif 000008
(57)【要約】      （修正有）【課題】廃棄物の削減に資する食品包装用袋を提供する。【解決手段】飲料を封入するための食品包装用袋であって、プラスチックフィルムを用いて構成されており、底部は透光性を有し、上部の幅の狭まった部分をちぎり取ることで中身の飲料を取り出すことができ、当該飲料を取り出した後は薄くたたむことができる、食品包装用袋である。【選択図】図１
0003234207.tif 000002
【実用新案登録請求の範囲】
【請求項１】
飲料を封入するための食品包装用袋であって、
プラスチックフィルムを用いて構成されており、底部は透光性を有し、上部の幅の狭まった部分をちぎり取ることで中身の飲料を取り出すことができ、当該飲料を取り出した後は薄くたたむことができる、食品包装用袋。
【考案の詳細な説明】
【技術分野】
【０００１】
本考案は、食品包装用袋に関する。
【背景技術】
【０００２】
従来から食品包装用袋が存在する。
【考案の概要】
【考案が解決しようとする課題】
【０００３】
本考案は、廃棄物の削減に資することを目的とする。
【課題を解決するための手段】
【０００４】
本考案に係る食品包装用袋は、飲料を封入するための食品包装用袋であって、プラスチックフィルムを用いて構成されており、底部は透光性を有し、上部の幅の狭まった部分をちぎり取ることで中身の飲料を取り出すことができ、飲料を取り出した後は薄くたたむことができる、食品包装用袋である。
【考案の効果】
【０００５】
廃棄物の削減に資することができる。
【図面の簡単な説明】
【０００６】
【図１】食品包装用袋の正面図である。
【図２】食品包装用袋の背面図である。
【図３】食品包装用袋の右側面図である。
【図４】食品包装用袋の左側面図である。
【図５】食品包装用袋の平面図である。
【図６】食品包装用袋の底面図である。
【考案を実施するための形態】
【０００７】
図１は、食品包装用袋の正面図、図２は、食品包装用袋の背面図、図３は、食品包装用袋の右側面図、図４は、食品包装用袋の左側面図、図５は、食品包装用袋の平面図、図６は、食品包装用袋の底面図である。各図に表れている濃淡の陰は立体表面により生じるものである。黒色の背景部分は食品包装用袋を構成しない部分である。
【０００８】
図示の物品は、例えば日本酒などの飲料を封入するための食品包装用袋である。本物品は、プラスチックフィルム等を用いて構成されている。また、本物品の底部は透光性を有する。本物品は、上部の幅の狭まった部分をちぎり取ることで中身の飲料を取り出すことができ、飲料を取り出した後は薄くたたむことができるので、例えばアウトドア活動において好適に用いられる。アウトドア活動以外の用途に用いた場合でも、廃棄物の削減に資するので好ましい。
【図１】
0003234207.tif 000003
【図２】
0003234207.tif 000004
【図３】
0003234207.tif 000005
【図４】
0003234207.tif 000006
【図５】
0003234207.tif 000007
【図６】
0003234207.tif 000008